(57)【要約】      （修正有）【課題】繰り返しの振動に伴い下地に対してネジ本体が緩み回転することを防止することができる防水シート固定用締結具を提供する。【解決手段】下地Ｂに対しネジ本体をねじ込むことで、金属下地Ｂ１のネジ孔Ｂｈとネジ本体のネジ山１１ａとの間に、ネジ山１１ａの構成材料よりも軟質な材料からなる被覆層２が挟み込まれる。それにより、繰り返しの風圧力などによって下地Ｂからネジ本体に振動が伝わったとしても、下地Ｂに対しネジ本体が緩み方向へ回転不能に固定される。【選択図】図１
2015086550.tif 000002
【特許請求の範囲】
【請求項１】
下地に防水シートを敷設固定するため前記下地に締結固定される防水シート固定用締結具であって、
ネジ本体のネジ部に設けられる螺旋状のネジ山と、
前記ネジ山の谷部位を被覆するように設けられる被覆層と、を備え、
前記被覆層は、前記ネジ山の構成材料よりも軟質な材料で構成され、前記下地に前記ネジ本体をねじ込むことで、前記下地のネジ孔と前記ネジ山との間に該被覆層が挟み込まれるように形成したことを特徴とする防水シート固定用締結具。
【請求項２】
前記ネジ山の高さ寸法よりも前記被覆層の厚みを浅く積層したことを特徴とする請求項１記載の防水シート固定用締結具。
【請求項３】
前記被覆層が、前記下地に対する前記ネジ本体のねじ込みに伴い、前記ネジ山と前記下地の前記ネジ孔との間に食い込むような厚さで形成されることを特徴とする請求項１又は２記載の防水シート固定用締結具。
【請求項４】
下地に敷設される防水シートと、
前記下地に取り付けられて前記防水シートを前記下地に固定する固定具と、
前記固定具から前記下地に向けて挿通される防水シート固定用締結具と、を備え、
前記防水シート固定用締結具は、ネジ本体のネジ部に設けられる螺旋状のネジ山と、前記ネジ山の谷部位を被覆するように設けられる被覆層と、を有し、
前記被覆層は、前記ネジ山の構成材料よりも軟質な材料で構成され、前記下地に前記ネジ本体をねじ込むことで、前記下地のネジ孔と前記ネジ山との間に該被覆層が挟み込まれるように形成したことを特徴とする防水構造。
【請求項５】
前記下地の厚みが、前記ネジ本体における前記ネジ山のピッチよりも小さく形成されることを特徴とする請求項４記載の防水構造。
【発明の詳細な説明】
【技術分野】
【０００１】
本発明は、建築物の屋上、ベランダ、バルコニーなどの防水構造において、金属下地などの下地に敷設される防水シートを下地に締結固定（ねじ止め）するための防水シート固定用締結具、及び、それを用いた防水構造に関する。
【背景技術】
【０００２】
建築構造物に使用されるシート防水工法として、防水シートの機械固定工法が用いられている場合がある。
防水シートの機械固定工法は、ビスなどの締結具で固定用ディスクを下地に固定し、固定用ディスクによって防水シートを下地の上に固定する方法である。
この機械固定工法を用いた従来技術としては、例えば、ねじ込みタイプのスクリュービス等の固定部材と、固定用ディスクに該当する防水シート固定具との組み合わせからなる防水下地構造がある。スクリュービス等の固定部材は、防水シート固定金具と接し防水シート固定金具を防水下地に対して固定させる押え部を有する。押え部の防水シート固定金具の側の面には、被覆層が設けられる。防水下地は、下地本体の金属板と、金属板上に敷き込まれる断熱材とを備え、断熱材の上には、防水シート固定金具が所定間隔で配置される。防水シート固定具は、取付孔を有し、取付孔に固定部材がねじ込まれ、固定金具が金属板に機械固定される。防水シート固定具の表面には、防水シートと接着可能なシート接着層が備えられ、防水シート固定具の表面を被覆している樹脂又はゴムからなるシート接着層と、固定部材の押え部の被覆層を接着可能にする。それにより、防水下地等の固定物の振動等による固定部材の抜けに対して著しい抵抗性が得られる。防水シート固定具を防水下地の所定位置に固定部材で固定した後は、防水シート固定具のシート接着層に防水シートを接着させ、防水下地を防水シートによって覆う（例えば、特許文献１参照）。
【先行技術文献】
【特許文献】
【０００３】
【特許文献１】特開２００６−２９１５６７号公報
【発明の概要】
【発明が解決しようとする課題】
【０００４】
上述した特許文献１では、スクリュービス等の固定部材が被覆層を介して防水シート固定具のシート接着層と接着固定されている。
しかし、防水下地の金属板に対しては、スクリュービス等の固定部材をねじ込みにより機械固定しているだけで、十分な緩み止めの対策が施されていない。そのため、繰り返しの風圧力などによって、防水下地の金属板などから固定部材に振動が伝わると、防水シート固定具に固定部材が固定されていても、固定部材が防水下地の金属板に対し緩み方向へ回転して緩みが発生し、防水下地の金属板から固定部材が抜けるおそれもあった。特に、防水下地の金属板の厚みが薄い場合には、風圧力による振動などで固定部材がより緩み易くなってしまう。さらに、防水下地の金属板から固定部材が緩んでしまうと、防水シート固定具と共に振動して、防水シートが破損し、漏水が起こるという問題点があった。
【０００５】
本発明は、このような問題に対処することを課題とするものであり、繰り返しの振動に伴い下地に対してネジ本体が緩み回転することを防止できる防水シート固定用締結具を提供すること、繰り返しの振動に伴う下地に対するネジ本体の緩み回転を防止して固定具の動きによる防水シートの破損を防止できる防水構造を提供すること、などを目的とするものである。
【課題を解決するための手段】
【０００６】
このような目的を達成するために本発明による防水シート固定用締結具は、下地に防水シートを敷設固定するため前記下地に締結固定される防水シート固定用締結具であって、ネジ本体のネジ部に設けられる螺旋状のネジ山と、前記ネジ山の谷部位を被覆するように設けられる被覆層と、を備え、前記被覆層は、前記ネジ山の構成材料よりも軟質な材料で構成され、前記下地に前記ネジ本体をねじ込むことで、前記下地のネジ孔と前記ネジ山との間に該被覆層が挟み込まれるように形成したことを特徴とする。
【０００７】
また本発明による防水構造は、下地に敷設される防水シートと、前記下地に取り付けられて前記防水シートを前記下地に固定する固定具と、前記固定具から前記下地に向けて挿通される防水シート固定用締結具と、を備え、前記防水シート固定用締結具は、ネジ本体のネジ部に設けられる螺旋状のネジ山と、前記ネジ山の谷部位を被覆するように設けられる被覆層と、を有し、前記被覆層は、前記ネジ山の構成材料よりも軟質な材料で構成され、前記下地に前記ネジ本体をねじ込むことで、前記下地のネジ孔と前記ネジ山との間に該被覆層が挟み込まれるように形成したことを特徴とする。
【発明の効果】
【０００８】
前述した特徴を有する本発明による防水シート固定用締結具は、下地に対しネジ本体をねじ込むことで、金属下地のネジ孔とネジ本体のネジ山との間に、ネジ山の構成材料よりも軟質な材料からなる被覆層が挟み込まれる。それにより、繰り返しの風圧力などによって下地からネジ本体に振動が伝わったとしても、下地に対しネジ本体が緩み方向へ回転不能に固定される。
したがって、繰り返しの振動に伴い下地に対してネジ本体が緩み回転することを防止することができる。
その結果、防水下地の金属板に対してスクリュービス等の固定具をねじ込みにより機械固定するだけで十分な緩み止めの対策が施されていない従来のものに比べ、繰り返しの風圧力などによって下地からネジ本体に振動が伝わったとしても、下地からネジ本体が緩んで抜けることがなく、安全性が向上するとともに、長期に亘って防水シートを下地に締結固定（ねじ止め）できる。
【０００９】
また、前述した特徴を有する本発明による防水構造は、下地に対して防水シート固定用締結具のネジ本体をねじ込むことにより、金属下地のネジ孔とネジ本体のネジ山との間に被覆層が挟み込まれ、繰り返しの風圧力などによって下地からネジ本体に振動が伝わったとしても、下地に対しネジ本体が緩み方向へ回転不能に固定されると同時に、固定具が可動不能（位置ズレ不能）に固定される。
したがって、繰り返しの振動に伴う下地に対するネジ本体の緩み回転を防止して固定具の動きによる防水シートの破損を防止することができる。
その結果、防水下地の金属板に対してスクリュービス等の固定具をねじ込みにより機械固定するだけで十分な緩み止めの対策が施されず、固定具が防水シート固定具と共に振動して防水シートが破損し易い従来のものに比べ、繰り返しの風圧力などによって下地からネジ本体に振動が伝わったとしても、下地からネジ本体が緩んで抜けることがなく、固定具を可動不能（位置ズレ不能）に固定し続けるため、安全性が向上するとともに、防水シートの破損による漏水事故の発生も長期に亘って防止できる。
【図面の簡単な説明】
【００１０】
【図１】本発明の実施形態に係る防水シート固定用締結具及び防水構造の全体構成を示す説明図であり、（ａ）が防水構造の縦断正面図、（ｂ）が防水シート固定用締結具の拡大正面図、（ｃ）が要部を更に拡大して示す縦断正面図である。
【図２】本発明の他の実施例に係る防水構造の全体構成を示す縦断正面図である。
【図３】本発明の他の実施例に係る防水構造の全体構成を示す縦断正面図である。
【発明を実施するための形態】
【００１１】
以下、本発明の実施形態を図面に基づいて詳細に説明する。
本発明の実施形態に係る防水シート固定用締結具Ａは、金属下地などの下地Ｂの上に防水シートＣを敷設固定するために、下地Ｂにねじ込んで締結固定される固定用ビスなどである。
詳しく説明すると、防水シート固定用締結具Ａは、図１〜図３に示すように、ネジ本体１のネジ部１１に設けられる螺旋状のネジ山１１ａと、ネジ山１１ａの谷部位１１ｒを部分的に被覆するように設けられる被覆層２と、を主要な構成要素として備えている。
そして、防水シート固定用締結具Ａを用いた防水構造は、下地Ｂの上に敷設される防水シートＣと、下地Ｂの上に取り付けられて防水シートＣを下地Ｂに固定するための固定具Ｄと、固定具Ｄから下地Ｂに向けて挿通される防水シート固定用締結具Ａと、を主要な構成要素として備えている。
【００１２】
防水シート固定用締結具Ａのネジ本体１は、図１（ａ）（ｂ）に示されるように、後述する下地Ｂに固定具Ｄを締結固定（ねじ止め）できるようなものであればよい。ネジ本体１の構成材料としては、炭素鋼、合金鋼、ステンレス鋼等の鋼材などが使用できる。
詳しく説明すると、ネジ本体１は、ネジ山１１ａが螺旋状に刻設されるネジ部１１と、ネジ部１１の基端に形成される頭部１２を有している。ネジ山１１ａは、螺旋状の頂部位１１ｔと、軸方向へ隣り合う頂部位１１ｔの間に形成される谷部位１１ｒからなる。図１（ｃ）に示されるように、ネジ山１１ａの谷部位１１ｒから頂部位１１ｔまでの長さを高さ寸法Ｈ１としている。
さらに、ネジ本体１の形状は、特に限定されないが、後述する固定具Ｄの表面（上面）から頭部１２がはみ出ないように、頭部１２の形状は皿、平、なべなどがより好ましい。頭部１２の頂面に形成されるドライバーやレンチなどの工具と係合する溝（図示しない）の形状は、十字穴、六角穴、四角穴などが好ましい。
【００１３】
ネジ本体１の具体例としては、図１（ａ）（ｂ）に示されるように、ネジ部１１と頭部１２との間にネジ山１１ａが刻設されない円筒部１３と、ネジ部１１の先端に尖ったネジ先部１４を一体形成したスクリュービスである場合を示している。
ネジ先部１４は、後述する下地Ｂに予め下穴を設けることなく、ネジ本体１をねじ込むことで、下地Ｂにネジ孔Ｂｈが穿設されるように、ドリル部分１４ａが一体形成されたセルフドリルビスを用いることが好ましい。
また、その他の例として図示しないが、円筒部１３や尖ったネジ先部１４を持たないものに変更するとも可能である。
【００１４】
被覆層２は、ネジ部１１のネジ山１１ａを構成する金属などの材料よりも軟質な材料、例えば合成樹脂などで構成され、ネジ部１１においてネジ山１１ａの頂部位１１ｔを除く谷部位１１ｒの大部分が被覆されるように積層形成している。つまり、被覆層２は、ネジ山１１ａの谷部位１１ｒに積層されるネジ谷被覆部２ａを有している。
被覆層２においてネジ谷被覆部２ａは、下地Ｂに対してネジ本体１をねじ込むことにより、下地Ｂのネジ孔Ｂｈと突き当たる部位が部分的に取り除かれるとともに、残ったネジ谷被覆部２ａ′が下地Ｂのネジ孔Ｂｈとの間で圧縮されることで、ネジ孔Ｂｈとの間に挟み込まれるように構成されている。
また、被覆層２は、ネジ山１１ａの谷部位１１ｒに積層されるネジ谷被覆部２ａに限らず、頭部１２を含むネジ本体１の略全体表面が被覆されるように被覆層２を積層形成することも可能である。ただし、ネジ先部１４や頭部１２の頂面には、被覆層２を積層形成しないことが好ましい。ネジ先部１４に一体形成されたドリル部分に被覆層２が積層形成されると、後述する下地Ｂにネジ孔Ｂｈを開設する際に障害となる場合や、被覆層２が剥離してしまう場合が考えられる。頭部１２の頂面に被覆層２が積層形成されると、工具と係合する溝が被覆層２で埋められ、工具が十分に係合できない場合が考えられる。
【００１５】
さらに、被覆層２は、ネジ部１１においてネジ山１１ａから盛り上がって径方向へ突出するように積層形成されると、後述する下地Ｂに対してネジ本体１をねじ込んだ際に、被覆層２において下地Ｂと突き当たった部位に限らず、被覆層２が全体的に剥離することも考えられる。
そこで、被覆層２においてネジ谷被覆部２ａの厚みＨ２を、図１（ｃ）に示されるように、ネジ山１１ａの高さ寸法Ｈ１（谷部位１１ｒから頂部位１１ｔまでの長さ）と同等以下に設定することが好ましい。すなわち、軸方向へ隣り合うネジ山１１ａの間に形成されるネジ谷の容積よりも被覆層２の体積の方が同等以下となるように設定することが好ましい。
図１（ｃ）に示される例では、被覆層２の厚みＨ２を、ネジ山１１ａの高さ寸法Ｈ１よりも浅く積層している。
さらに加えて、被覆層２のネジ谷被覆部２ａは、下地Ｂに対するネジ本体１のねじ込みに伴い、ネジ本体１のネジ山１１ａと下地Ｂのネジ孔Ｂｈとの間に食い込むような厚さで形成されることで、ネジ山１１ａと下地Ｂのネジ孔Ｂｈとの間の僅かな隙間が被覆層２で埋められるように構成することが好ましい。
【００１６】
被覆層２を構成する軟質な材料は、ネジ山１１ａの谷部位１１ｒに沿って充填されるように積層形成する必要があるため、ネジ山１１ａの表面との密着性に優れた材質が好ましい。したがって、被覆層２としては、合成樹脂で形成されることが好ましい。
被覆層２の構成材料の具体例としては、ポリ塩化ビニル系、アクリル系、ポリオレフィン系、ポリエステル系、熱可塑性ポリウレタンエラストマー等の熱可塑性エラストマー、ポリスチレン系、等の熱可塑性樹脂やエポキシ系、ブタジエンゴム、クロロプレンゴム、ＳＢＲ、ＮＢＲ、アクリルゴム、ウレタンゴム、シリコーンゴム等のゴムなどを用いることができる。さらに、下地Ｂのネジ孔Ｂｈとの間に被覆層２が食い込み易く、且つ緩み止め効果を発揮し易い点から、弾性を有する軟質合成樹脂が好ましく、ポリ塩化ビニル系、アクリル系、ウレタン系、変性シリコーン系などが好ましい。また、これらの樹脂を混合し混練して用いてもよい。
特に、ネジ本体１のネジ山１１ａに対して積層形成し易い点で、被覆層２の構成材料としてポリ塩化ビニル樹脂を用いることが好ましい。ここで、ポリ塩化ビニル樹脂には可塑剤や充填剤を添加することができる。
ポリ塩化ビニル樹脂の重合度は６００〜３０００のものを用いることができる。さらに、ディッピング加工を行いポリ塩化ビニル樹脂ゾルとして用いる場合にポリ塩化ビニル樹脂の重合度は１５００〜３０００が好ましく、１８００〜３０００がより好ましい。可塑剤としては、ジイソノニルフタレート、ジ−（２−エチルヘキシル）フタレート、ジイソデシルフタレート、ブチルベンジルフタレート等のフタル酸系可塑剤、トリブチルホスフェート、トリ−（２−エチルヘキシル）ホスフェート、２−エチルヘキシルジフェニルホスフェート等のリン酸エステル系可塑剤、エポキシ化大豆油等のエポキシ系可塑剤、ポリエステル系可塑剤、ジ−（２−エチルヘキシル）アジペート、ジ−ｎ−デシルアジペート、ジ−（２−エチルヘキシル）アゼレート、ジブチルセバケート、ジ−（２−エチルヘキシル）セバケート等の脂肪酸エステル系可塑剤、トリメリテート系可塑剤、ピロメリテート系可塑剤、安息香酸系可塑剤、スルホン酸エステル系可塑剤を用いることができる。また可塑剤の添加量はポリ塩化ビニル樹脂１００重量部に対して、３０部〜２００部とすることができ、５０部〜１５０部がより好ましく、６０〜１００部がさらに好ましい。充填剤としては炭酸カルシウム、シリカ、タルク、カオリン、マイカ等の添加することができ、ポリ塩化ビニル樹脂１００重量部に対して、１〜２００部が好ましく、１〜１００部がより好ましく、１〜５０部がさらに好ましい。また、添加剤として、安定剤、紫外線吸収剤、光安定剤、界面活性剤、抗菌剤、酸化防止剤、脱泡剤、チクソトロピー剤等を添加してもよい。
【００１７】
さらに、ネジ本体１のネジ山１１ａに対して被覆層２を積層形成する方法としては、ネジ本体１に液体状の合成樹脂を塗布して熱や光等によって固化させることができる。液体状の合成樹脂にネジ本体１を浸けて熱や光等によって固化させることもできる。液体状の合成樹脂としては、合成樹脂を溶剤に溶かしたものや合成樹脂に可塑剤を混合したもの等が用いられる。ポリ塩化ビニル樹脂に可塑剤を添加したゾルを用いたディッピング加工は、粘度調整が容易で且つ加工操作範囲が広いため、簡単に被覆層２を形成できるという点から好ましい。特に、熱可塑性樹脂を加熱し溶融状態にしてから、ネジ本体１のネジ山１１ａに塗布してもよい。また、ネジ本体１のネジ山１１ａに対してテープ状の合成樹脂を巻き付けることで被覆層２を設けてもよいが、被覆層２の形成のし易さを考えると液状系の合成樹脂が好ましい。
ネジ本体１のネジ山１１ａに対して被覆層２を積層形成する前に、ネジ本体１にプライマー処理を施してもよい。それにより、ネジ本体１への被覆層２の密着性が向上して、被覆層２が積層形成され易くなり、さらに下地Ｂに対してネジ本体１をねじ込む際に、被覆層２が脱離（剥離）し難くなる。プライマーとしては、ネジ本体１と被覆層２の組み合わせにより選定すればよいが、アクリル系、ウレタン系、エポキシ系等を用いることができる。ネジ本体１としてステンレス、被覆層２としてポリ塩化ビニル樹脂系ゾルを用いる場合にはアクリル系プライマーを用いることで、ネジ本体１のネジ山１１ａと被覆層２との密着性が向上する。
【００１８】
さらに、ポリ塩化ビニル樹脂ゾルによるディッピング加工において、ネジ本体１のネジ山１１ａから被覆層２であるポリ塩化ビニル樹脂層が盛り上がって形成されることがないように、ネジ本体１をポリ塩化ビニル樹脂ゾルに浸漬後に引き上げる際に、振動や回転や掻き取り等を加えて余分なポリ塩化ビニル樹脂ゾルを落とす工程を経てから加熱してもよい。
また、ネジ先部１４や頭部１２の表面にマスキング施してからポリ塩化ビニル樹脂ゾルに、ネジ本体１を浸漬することもできる。さらに、ポリ塩化ビニル樹脂ゾルによるディッピング加工以外の方法を用いる場合であっても、同様に余分な樹脂を落とす工程やマスキングを施してもよい。
【００１９】
一方、下地Ｂは、折板屋根、瓦棒屋根、デッキプレート等の金属下地Ｂ１を使用することができる。下地Ｂには、ネジ本体１のネジ部１１（ネジ山１１ａ）と螺合するネジ孔Ｂｈが穿設される。ネジ孔Ｂｈは、ネジ本体１のねじ込み時に穿設されるか、又はネジ本体１の外径よりも内径が小さいネジ孔Ｂｈを、ネジ本体１がネジ込まれる前に開けておき、ネジ本体１のねじ込み時に穿設してもよい。
金属下地Ｂ１の具体例としては、図１（ａ）に示されるように、金属製の折板屋根Ｂ１１が使用され、その所定位置にネジ孔Ｂｈが穿設される。必要に応じて、金属製の折板屋根Ｂ１１の上には、断熱材Ｂ２や不燃板（図示しない）をさらに敷設して用いることも可能である。
断熱材Ｂ２は、ポリスチレンフォーム、硬質ウレタンフォーム、フェノールフォーム、ポリエチレン、ポリプロピレン等のポリオレフィンフォーム等が使用できる。強度を考慮するとクラフト紙やアルミ箔が両面に積層された断熱材が好ましい。また、勾配をとる必要がある場合には、勾配のある断熱ボードを使用することができる。
不燃板は、断熱材Ｂ２の上に敷設され施工時やその後の点検時、また重たい構造物（図示しない）を設置することで、断熱材Ｂ２が沈み込んで変形するのを防止する目的もある。したがって、不燃板としては、無機質板や金属板、鋼板等を使用することが好ましい。
また、その他の例として図示しないが、下地Ｂとしてこれらの構成以外に、目的に応じて緩衝用シート等を敷設することも可能である。
【００２０】
防水シートＣは、加硫ゴムシート、非加硫ゴムシート、熱可塑性樹脂製の防水シートや、その他の合成樹脂からなる防水シート等を用いることができる。
さらに、防水シートＣは、単層でも良いが、寸法安定性、引張強度に優れるという点からガラスクロス、不織布等の基材層を積層した複層品が好ましい。この基材層は、熱可塑性樹脂層の中間位置に挟まれるように設けるのが好ましいが、最下層に設けても良い。
また、図１（ａ）に示される例では、防水シートＣを後述する固定具Ｄの上に配置されているが、このような態様に限られず、固定具Ｄの下に配置されてもよい。
防水シートＣの具体例としては、熱可塑性樹脂製の防水シートであるポリ塩化ビニル樹脂製防水シートを用いることができる。熱可塑性樹脂製の防水シートＣの材料としては、ポリ塩化ビニル系樹脂、ポリオレフィン系樹脂、アクリル系樹脂等の熱可塑性樹脂を使用することができる。特にポリ塩化ビニル系樹脂製の防水シートを用いることが好ましい。
また、その他の例として、防水シートＣとして、加硫ゴム等からなる防水シートを用いることも可能である。
【００２１】
固定具Ｄは、金属や硬質合成樹脂や木などの剛性材料で、円形や楕円形状の板状（円盤状）か又は正方形や長方形や矩形の板状か若しくは長尺な帯状の板状に形成され、下地Ｂに対して複数個それぞれ分散して配置することが好ましい。
固定具Ｄの構成材料としては、強度や耐久性の点から金属で成形することが好ましく、特にステンレスや、亜鉛・アルミニウム・マグネシウムメッキまたは亜鉛メッキ等の防錆処理が施された鋼板など、多湿状態でも錆び難い鋼鈑が好ましい。
さらに、固定具Ｄは、ネジ本体１が挿通する取付孔Ｄ１を有することが好ましい。取付孔Ｄ１は、固定具Ｄの所定位置に必要個数開穿され、ネジ本体１の頭部１２を回転自在に係止して下地Ｂの金属下地Ｂ１へ向けねじ込み可能に支持している。
また、固定具Ｄの表面（上面）には、合成樹脂からなる接着層Ｄ２を被覆形成することが好ましく、防水シートＣが熱可塑性樹脂製の防水シートの場合には、熱融着や溶剤溶着が可能となるために、接着層Ｄ２を熱可塑性樹脂で形成することが好ましい。固定具Ｄの接着層Ｄ２と防水シートＣが同種の樹脂組成物で構成されていることがより好ましく、例えば防水シートＣがポリ塩化ビニル系樹脂系であれば、固定具Ｄの接着層Ｄ２もポリ塩化ビニル系樹脂系とすることが好ましい。これにより、熱融着や溶剤溶着が容易に行えると共に接合強度がより向上する。
【００２２】
このような本発明の実施形態に係る防水シート固定用締結具Ａによると、下地Ｂの金属下地Ｂ１に対しネジ本体１をねじ込むことで、金属下地Ｂ１に設けられたネジ孔Ｂｈとネジ本体１のネジ山１１ａとの間に、ネジ山１１ａの構成材料よりも軟質な材料からなる被覆層２のネジ谷被覆部２ａ′が挟み込まれる。それにより、繰り返しの風圧力などによって下地Ｂの金属下地Ｂ１からネジ本体１に振動が伝わったとしても、下地Ｂに対しネジ本体１が緩み方向へ回転不能に固定される。
したがって、繰り返しの振動に伴い下地Ｂに対してネジ本体１が緩み回転することを防止することができる。
その結果、繰り返しの風圧力などによって下地Ｂからネジ本体１に振動が伝わったとしても、下地Ｂからネジ本体１が抜けることがなく、安全性が向上するとともに、長期に亘って防水シートＣを下地Ｂに締結固定（ねじ止め）できる。
【００２３】
特に、ネジ山１１ａの高さ寸法Ｈ１よりも被覆層２の厚みＨ２を浅く積層した場合には、ネジ山１１ａの頂部位１１ｔを除いた谷部位１１ｒが被覆層２で被覆されて、ネジ山１１ａの頂部位１１ｔが露出しており、下地Ｂにネジ本体１をねじ込んでネジ山１１ａの頂部位１１ｔと下地Ｂのネジ孔Ｂｈとが螺合しても、下地Ｂのネジ孔Ｂｈにおけるネジ山頂部Ｂｈ１によって被覆層２の一部が剥離するものの、ネジ山１１ａから被覆層２が全体的に剥がれることはない。この剥離せずに残った被覆層２の一部は、被覆層２（ネジ谷被覆部２ａ′）として圧縮変形しつつ、下地Ｂに密着した状態となる。
したがって、ネジ本体１のねじ込み時における被覆層２の全体的な剥離を防止することができる。
その結果、ネジ本体１の緩みを確実に防止できる。
【００２４】
さらに、被覆層２が、下地Ｂに対するネジ本体１のねじ込みに伴い、ネジ山１１ａと下地Ｂのネジ孔Ｂｈとの間に食い込むような厚さで形成される場合には、下地Ｂに対してネジ本体１をねじ込んだ際に、ネジ山１１ａと下地Ｂのネジ孔Ｂｈとの間に被覆層２が食い込むことで、ネジ本体１のネジ山１１ａと下地Ｂのネジ孔Ｂｈとの間の僅かな隙間が被覆層２で埋められる。それにより、繰り返しの風圧力などによって下地Ｂからネジ本体１に振動が伝わったとしても、ネジ本体１が緩み方向へ逆回転しなくなる。
したがって、下地Ｂのネジ孔Ｂｈに対するネジ本体１の緩み止め効果を向上させることができる。
その結果、ネジ本体１の緩みをより確実に防止できる。
【００２５】
そして、本発明の実施形態に係る防水シート固定用締結具Ａを用いた防水構造によると、下地Ｂに対して防水シート固定用締結具Ａのネジ本体１をねじ込むことにより、金属下地Ｂ１のネジ孔Ｂｈとネジ本体１のネジ山１１ａとの間に被覆層２のネジ谷被覆部２ａ′が挟み込まれ、繰り返しの風圧力などによって下地Ｂからネジ本体１に振動が伝わったとしても、下地Ｂに対しネジ本体１が緩み方向へ回転不能に固定されると同時に、固定具Ｄが可動不能（位置ズレ不能）に固定される。
したがって、繰り返しの振動に伴う下地Ｂに対するネジ本体１の緩み回転を防止して固定具Ｄの動きによる防水シートＣの破損を防止することができる。
その結果、繰り返しの風圧力などによって下地Ｂからネジ本体１に振動が伝わったとしても、下地Ｂからネジ本体１が緩んで抜けることがなく、固定具Ｄを可動不能（位置ズレ不能）に固定し続けるため、風圧力による振動によって防水シートＣが動かず（振動せず）、防水シートＣの破損による漏水事故の発生も長期に亘って防止できる。
【００２６】
また、下地Ｂの厚みが、ネジ本体１におけるネジ山１１ａのピッチよりも小さく形成される場合には、ネジ本体１のねじ込みに伴ってネジ山１１ａが下地Ｂを回転移動する際に、被覆層２（ネジ谷被覆部２ａ′）に下地Ｂのネジ孔Ｂｈの端部が食い込み、ネジ山１１ａの谷部位１１ｒと下地Ｂのネジ孔Ｂｈの端部との間に被覆層２（ネジ谷被覆部２ａ′）が挟まった状態で、下地Ｂにネジ本体１が固定される。それにより、繰り返しの風圧力などによって下地Ｂからネジ本体１に振動が伝わったとしても、ネジ本体１が緩み方向へ逆回転しなくなる。
したがって、下地Ｂが薄い場合でも下地Ｂのネジ孔Ｂｈに対するネジ本体１の緩み止め効果を向上させることができる。
その結果、防水下地の金属板の厚みが薄いと風圧力による振動などで固定部材がより緩み易くなる従来のものに比べ、安全性の更なる向上が図れるとともに、防水シートＣの破損事故を長期に亘って防止できる。
【実施例１】
【００２７】
次に、本発明の各実施例を図面に基づいて説明する。
この実施例１は、図１（ａ）（ｂ）（ｃ）に示すように、下地Ｂの金属下地Ｂ１として折板屋根Ｂ１１が用いられ、折板屋根Ｂ１１の上に断熱材Ｂ２を敷設している。断熱材Ｂ２の上には固定具Ｄとして円板状の固定用ディスクが配置され、この固定用ディスクの中央に開穿された取付孔Ｄ１からネジ本体１が断熱材Ｂ２を貫通して折板屋根Ｂ１１の凸部Ｂ１１ａにねじ込まれることで、下地Ｂに対し防水シートＣを敷設固定している。
固定具Ｄとなる固定用ディスク、ネジ本体１の頭部１２の頂面、断熱材Ｂ２の表面を覆うように防水シートＣとしてポリ塩化ビニル樹脂製の防水シートＣ１が敷設されている。固定具Ｄとなる固定用ディスクの表面（上面）には、ポリ塩化ビニル樹脂などの熱可塑性樹脂からなる接着層Ｄ２が形成され、誘導加熱装置（図示なし）の発振などで、接着層Ｄ２と防水シートＣ１の裏面を接着している。それにより、防水シートＣとなるポリ塩化ビニル樹脂製の防水シートＣ１が金属下地Ｂ１の折板屋根Ｂ１１に対し固定されている。
【００２８】
ネジ本体１としては、ネジ先部１４にドリル部分１４ａを一体形成したセルフドリルビスが用いられ、ネジ本体１をドライバー（インパクトドライバー）やレンチなどの工具で回転させることにより、断熱材Ｂ２を貫通して金属下地Ｂ１の折板屋根Ｂ１１へ向け進行し、折板屋根Ｂ１１にネジ孔Ｂｈを空けながら締め付けている。
ネジ本体１におけるネジ山１１ａの谷部位１１ｒは、ポリ塩化ビニル樹脂系の被覆層２で被覆されている。被覆層２の成分としては、ポリ塩化ビニル樹脂（重合度１８００）１００重量部に対し、可塑剤９０重量部を添加し、さらにＣａ−Ｚｎ系安定剤、充填剤２０重量部、顔料として酸化チタンおよびカーボンラックを配合し、この樹脂組成物をミキサーで攪拌しポリ塩化ビニルゾルを得た。このポリ塩化ビニルゾルにネジ本体１を浸漬し、余分なポリ塩化ビニルゾルをふるい落としたのちに２００℃のオーブンで加熱し、ネジ山１１ａに沿ってポリ塩化ビニル樹脂製の被覆層２を積層形成している。
被覆層２においてネジ谷被覆部２ａは、下地Ｂに対してネジ本体１をねじ込むことにより、下地Ｂのネジ孔Ｂｈと突き当たる部位が部分的に取り除かれるが、残ったネジ谷被覆部２ａ′が下地Ｂのネジ孔Ｂｈとの間で圧縮されることで、ネジ孔Ｂｈと谷部位１１ｒを隙間なく緊縮するように挟み込み構成されている。
【００２９】
このような本発明の実施例１に係る防水構造によると、少ない作業量で防水シート固定用締結具Ａのネジ本体１を下地Ｂの金属下地Ｂ１に十分に固定できるとともに、ネジ本体１周辺の防水性も向上する。したがって、施工性を維持したまま、固定強度、防水性の向上を図ることができる。
さらに、結露によるネジ本体１の腐食を防止することができる。
【００３０】
ここで、本発明の実施例１に係る防水シート固定用締結具Ａのネジ本体１（セルフドリルビス）を用いて、下地Ｂの金属下地Ｂ１に対するネジ本体１の緩みに関する振動試験を行い、その評価結果を表１に示す。
表１に示す実施例１と比較例１−２は、０．８ｍｍの金属下地Ｂ１（折板屋根Ｂ１１）に対し、７．０ｍｍφ、全長７５ｍｍ、ネジピッチ２．５ｍｍのセルフドリルビスを２５ｍｍねじ込んで固定した点が共通している。
実施例１のセルフドリルビスには、前述したように、ポリ塩化ビニル樹脂系の被覆層２が積層形成されている。
比較例１−２は、被覆層２が積層形成されないセルフドリルビスを用いた点が共通している。
さらに、比較例２では、金属下地Ｂ１（折板屋根Ｂ１１）として１ｍｍのブチルテープを介して０．８ｍｍの亜鉛メッキ鋼板で補強されたものを用いた点が、比較例１と異なっている。
振動試験としては、実施例１及び比較例１−２が共通して、折板屋根Ｂ１１側面にベルトサンダーを当てて１分間振動を与え、これを５サイクル実施することで、金属下地Ｂ１のネジ孔Ｂｈからセルフドリルビスの緩み具合を目視により確認した。
表１に示す実施例１と比較例１−２の評価結果は、以下の指標に基づくものである。
「緩んだビスがなかった」を○、「緩んだビスが１本」を△、「緩んだビスが２本以上」を×と評価した。
【００３１】
【表１】
2015086550.tif 000003
【００３２】
実施例１と比較例１−２を比較すると、実施例１は、ビスの緩みが発生せず、良好な評価結果が得られているのに対して、比較例１−２は、ビスの緩みが発生して不良な評価結果になっている。
【実施例２】
【００３３】
この実施例２は、図２に示すように、下地Ｂの金属下地Ｂ１として瓦棒屋根Ｂ１２と瓦棒屋根Ｂ１２を支える構造躯体Ｂ１３が用いられ、瓦棒屋根Ｂ１２に形成される複数の凸部Ｂ１２ａの間の凹状空間Ｂ１２ｂに断熱材Ｂ２を敷設している。これら瓦棒屋根Ｂ１２の凸部Ｂ１２ａ及び断熱材Ｂ２の上には固定具Ｄとして固定用ディスクが配置され、固定用ディスクの取付孔Ｄ１からネジ本体１が瓦棒屋根Ｂ１２の凸部Ｂ１２ａを貫通して構造躯体Ｂ１３にねじ込まれることで、下地Ｂに対し防水シートＣとなるポリ塩化ビニル樹脂製の防水シートＣ１を敷設固定した構成が、図１に示した実施例１とは異なり、それ以外の構成は図１に示した実施例１と同じものである。
したがって、このような本発明の実施例２に係る防水構造も、前述した実施例１と同様な作用効果が得られる。
【実施例３】
【００３４】
この実施例３は、図３に示すように、断熱材Ｂ２の上に防水シートＣとしてポリ塩化ビニル樹脂製の防水シートＣ１が敷設され、防水シートＣ１の上に固定具Ｄとして円板状の固定用ディスクが配置されている。固定用ディスクの取付孔Ｄ１からネジ本体１が断熱材Ｂ２を貫通して折板屋根Ｂ１１の凸部Ｂ１１ａにねじ込まれるとともに、固定具Ｄとなる固定用ディスク、ネジ本体１の頭部１２の頂面、防水シートＣ１の表面を覆うように防水シートＣとして増し張りシートＣ２が敷設されることで、下地Ｂに対し防水シートＣとなる増し張りシートＣ２を敷設固定した構成が、図１に示した実施例１とは異なり、それ以外の構成は図１に示した実施例１と同じものである。
【００３５】
増し張りシートＣ２の材質としては、防水シートＣ１と同質又は同種の溶着し易い合成樹脂が良く、ポリ塩化ビニル系樹脂、オレフィン系樹脂、アクリル系樹脂が好ましい。特にポリ塩化ビニル樹脂製の防水シートＣ１が設けられている場合には、ポリ塩化ビニル系樹脂製の増し張りシートＣ２とすることが好ましい。増し張りシートＣ２の厚みは、０．３ｍｍ〜３ｍｍが好ましく、０．５ｍｍ〜２ｍｍがより好ましい。
図３に示される例では、増し張りシートＣ２がポリ塩化ビニル樹脂で形成され、ポリ塩化ビニル樹脂製の防水シートＣ１と同種の樹脂組成物で構成されているため、熱融着または溶剤溶着によりポリ塩化ビニル樹脂製の防水シートＣ１と接合されている。増し張りシートＣ２において固定用ディスクと対向する部位は、固定用ディスクの接着層Ｄ２と熱溶着などで接着している。さらに増し張りシートＣ２の端部はシーラーにより防水処理が施されている。
また、断熱材Ｂ２とポリ塩化ビニル樹脂製の防水シートＣ１との間には、緩衝シート（図示しない）を敷設することが好ましい。
したがって、このような本発明の実施例３に係る防水構造も、前述した実施例１と同様な作用効果が得られる。
【００３６】
なお、前示実施例では、ネジ本体１として、ネジ先部１４にドリル部分１４ａが一体形成されたセルフドリルビスを用い、ネジ本体１の回転操作により、金属下地Ｂ１の折板屋根Ｂ１１にネジ孔Ｂｈを空けながら締め付けているが、これに限定されず、下地Ｂ（金属下地Ｂ１）に予めネジ孔を穿設しておき、ネジ本体１の回転操作により、該ネジ孔にネジ部１１のネジ山１１ａを螺着させても良い。
【符号の説明】
【００３７】
Ａ  防水シート固定用締結具              １  ネジ本体
１１  ネジ部                            １１ａ  ネジ山
１１ｒ  谷部位                          ２  被覆層
Ｂ  下地                                Ｂｈ  ネジ孔
Ｃ  防水シート                          Ｄ  固定具
Ｈ１  高さ寸法                          Ｈ２  厚み
【図１】
2015086550.tif 000004
【図２】
2015086550.tif 000005
【図３】
2015086550.tif 000006